(57)【特許請求の範囲】
【請求項１】
被空調空間の複数種の環境情報を取得する環境情報取得手段と、
スケジュール運転の設定情報が記憶されるスケジュール情報記憶手段と、
前記環境情報の種類に応じて、前記環境情報の基準値又は基準範囲の情報が記憶される基準値記憶手段と、
前記スケジュール運転の設定情報に基づいて、空気調和機の運転を制御する制御手段と
を備え、
前記スケジュール情報記憶手段は、
前記スケジュール運転の設定情報として、時刻、日付及び曜日の少なくとも１つに応じた前記空気調和機の運転状態の情報が記憶され、
前記基準値記憶手段は、
時刻、日付及び曜日の少なくとも１つに応じて設定された前記空気調和機の運転状態ごとに、前記環境情報の基準値又は基準範囲の情報が記憶され、
前記制御手段は、
取得された前記複数種の環境情報のうち、前記環境情報の基準値と一致する環境情報又は基準範囲に属する環境情報の数が、所定の判定基準値数未満のとき、前記スケジュール運転の設定情報に基づく制御を停止する
ことを特徴とする空気調和機の制御装置。
【請求項２】
被空調空間の複数種の環境情報を取得する環境情報取得手段と、
スケジュール運転の設定情報が記憶されるスケジュール情報記憶手段と、
前記環境情報の種類に応じて、前記環境情報の基準値又は基準範囲の情報が記憶される基準値記憶手段と、
前記スケジュール運転の設定情報に基づいて、空気調和機の運転を制御する制御手段と
を備え、
前記基準値記憶手段は、
時刻、日付及び曜日の少なくとも１つに応じて設定された前記空気調和機の運転状態ごとに、所定の判定基準値数の情報が記憶され、
前記制御手段は、
取得された前記複数種の環境情報のうち、前記環境情報の基準値と一致する環境情報又は基準範囲に属する環境情報の数が、前記所定の判定基準値数未満のとき、前記スケジュール運転の設定情報に基づく制御を停止する
ことを特徴とする空気調和機の制御装置。
【請求項３】
前記環境情報取得手段は、
前記被空調空間内に存在する人の数を測定する人感センサ、
前記被空調空間内の音量を測定するマイク、
前記被空調空間内の照度を測定する照度センサ、
前記被空調空間内の照明機器の点灯状態を測定する照明制御装置、
及び前記被空調空間内の電気機器に供給される電力の消費電力量を測定する電力計の少なくとも１つからの測定結果の情報を、前記環境情報として取得し、
前記基準値記憶手段は、
前記被空調空間内における、人数、音量、照度、照明機器の点灯状態、及び消費電力量のうち、少なくとも１つの値又は範囲の情報が、前記基準値又は基準範囲の情報として記憶される
ことを特徴とする請求項２記載の空気調和機の制御装置。
【請求項４】
前記環境情報の基準値又は基準範囲の情報を入力させる入力手段を備え、
前記基準値記憶手段は、
前記入力手段から入力された前記環境情報の基準値又は基準範囲の情報を記憶する
ことを特徴とする請求項１〜３の何れかに記載の空気調和機の制御装置。
【請求項５】
被空調空間の複数種の環境情報を取得する環境情報取得手段と、
スケジュール運転の設定情報が記憶されるスケジュール情報記憶手段と、
前記環境情報の種類に応じて、前記環境情報の基準値又は基準範囲の情報が記憶される基準値記憶手段と、
前記スケジュール運転の設定情報に基づいて、空気調和機の運転を制御する制御手段と
を備え、
前記環境情報取得手段は、所定周期ごとに前記環境情報を取得し、
前記制御手段は、
所定周期ごとに取得された前記環境情報が、所定の一致回数以上、ほぼ変化しないとき、当該環境情報の値を前記基準値として求め、
前記基準値記憶手段は、
前記制御手段が求めた前記基準値の情報を記憶し、
前記制御手段は、
取得された前記複数種の環境情報のうち、前記環境情報の基準値と一致する環境情報又は基準範囲に属する環境情報の数が、所定の判定基準値数未満のとき、前記スケジュール運転の設定情報に基づく制御を停止する
ことを特徴とする空気調和機の制御装置。
【請求項６】
前記制御手段は、
取得された前記複数種の環境情報のうち、前記環境情報の基準値と一致する環境情報又は基準範囲に属する環境情報の数が、所定の判定基準値数以上のとき、前記スケジュール運転の設定情報に基づいて、空気調和機の運転を制御する
ことを特徴とする請求項１〜５の何れかに記載の空気調和機の制御装置。
【発明の詳細な説明】
【技術分野】
【０００１】
この発明は、空気調和機の運転を制御する空気調和機の制御装置に関する。
【背景技術】
【０００２】
従来の技術においては、例えば、「制御対象区画に人体感知センサ３を設ける。出力制御部９は、スケジュール格納部６、パラメータ格納部８のデータにより空調機を運転すると同時に、運転時間中における制御対象区画の使用状況を人体感知センサ３により監視する。もし一定時間以上その区画を使用していない場合には、空調機１０を停止する。停止した後もスケジュールによる運転予定時間内は、人体感知センサ３による監視を続け、その区画の使用を確認したらスケジュールに合わせて空調機１０を起動する。」ものが提案されている（例えば、特許文献１参照）。
【先行技術文献】
【特許文献】
【０００３】
【特許文献１】特開平５−２４８６７９号公報（要約）
【発明の概要】
【発明が解決しようとする課題】
【０００４】
従来の空気調和機の制御装置においては、ユーザーが日時毎の運転制御設定を予め入力後、メモリーに記憶し、その記憶した情報に従って制御を行う機能を備えるものがある。この機能はスケジュール運転機能と呼ばれている。
スケジュール運転の設定は、空調制御される空間の利用が、ある一定の周期的で規則的である場合に利用されることが多い。その周期は、例えば、一日単位、一週間単位、一ヶ月単位、一年間単位などが一般的である。
このようなスケジュール運転は、空気調和制御が可能な空間の利用予定に合わせた制御の設定をしているため、ユーザーは時間が来るたびに空調設定の変更を手動で行う必要がなく、非常に便利な機能である。
【０００５】
しかしながら、従来の空気調和機の制御装置では、スケジュール運転は予めメモリーに記憶された情報に従って設定を変更するだけであり、入力時に想定していた空調される空間の利用予定が急に変わった場合にも、スケジュール運転の設定で空調制御が実行されてしまう、という問題点があった。
この場合、空調が必要であるにもかかわらず運転が停止されてしまうなど、適切な空調制御の効果を得ることができない状況が発生することもある。
【０００６】
一方、この問題点を解決するために、スケジュール運転の設定入力時に想定していた利用予定が急に変わった場合には、スケジュール運転を一時的に停止して、停止期間は現在の空調設定の状態を保つ（ホールド）機能を備える制御装置もある。
【０００７】
しかしながら、スケジュール運転を停止するには、スケジュール運転の停止設定、設定の内容変更、又はホールド機能の設定等、空気調和機の制御装置に対してユーザーによる手動での設定操作を行わなければならない、という問題点があった。
【０００８】
また、スケジュール設定は、予め空気調和機の制御装置に記憶されており、空調空間のユーザーはスケジュール運転の設定内容を既知でない場合もある。
こういった状況では、ユーザーは空気調和機の制御装置に対し、スケジュール運転の設定変更が必要なことに気付かず、快適性が損なわれる可能性があった。
【０００９】
また、空気調和機の制御装置に何らかの操作を行う場合、説明書を見ながら実行するか、その装置の操作に精通している必要がある。
従って、取扱説明書が手元にない場合や、操作の精通者が存在しない場合においては、スケジュール運転の停止・変更・開始の操作が実行できない可能性があった。
【００１０】
また、空気調和機の制御装置に対し操作が必要な状況であっても、「手が届かないため操作できない、操作者の手がふさがっていて操作できない」といった場合もあり、スケジュール運転の設定変更を実行できない場合もあった。
【００１１】
また、ユーザーは空気調和機の制御装置の設置場所を知らないため操作できないといった場合も考えられ、スケジュール運転の設定変更を実行できない場合もあった。
【００１２】
さらに、スケジュール運転が不適切であったのでその動作を停止したが、その後スケジュール運転が適切な状況になりスケジュール運転を再開したい場合には、スケジュール運転の再開をするか、再設定を行うか、ホールドモードの解除をするなどの空気調和機の制御装置への再操作が不可欠であった。
【００１３】
このようなスケジュール運転の再開においても、上述したスケジュール運転の停止と同様に、ユーザーは設定内容を既知でない場合や、操作に精通していない場合など、ユーザーによる設定変更を実行できない場合がある。
【００１４】
この発明は、上記のような課題を解決するためになされたもので、ユーザーによる操作を行うことなく、スケジュール運転を行うのが適切でないとき、スケジュール運転の設定情報に基づく制御を停止することができる空気調和機の制御装置を得るものである。
また、ユーザーによる操作を行うことなく、スケジュール運転を行うのが適切であるとき、スケジュール運転の設定情報に基づく制御を行うことができる空気調和機の制御装置を得るものである。
【課題を解決するための手段】
【００１５】
この発明に係る空気調和機の制御装置は、
被空調空間の複数種の環境情報を取得する環境情報取得手段と、
スケジュール運転の設定情報が記憶されるスケジュール情報記憶手段と、
前記環境情報の種類に応じて、前記環境情報の基準値又は基準範囲の情報が記憶される基準値記憶手段と、
前記スケジュール運転の設定情報に基づいて、空気調和機の運転を制御する制御手段と
を備え、
前記スケジュール情報記憶手段は、
前記スケジュール運転の設定情報として、時刻、日付及び曜日の少なくとも１つに応じた前記空気調和機の運転状態の情報が記憶され、
前記基準値記憶手段は、
時刻、日付及び曜日の少なくとも１つに応じて設定された前記空気調和機の運転状態ごとに、前記環境情報の基準値又は基準範囲の情報が記憶され、
前記制御手段は、
取得された前記複数種の環境情報のうち、前記環境情報の基準値と一致する環境情報又は基準範囲に属する環境情報の数が、所定の判定基準値数未満のとき、前記スケジュール運転の設定情報に基づく制御を停止するものである。
【発明の効果】
【００１６】
この発明は、取得された複数種の環境情報のうち、環境情報の基準値と一致する環境情報又は基準範囲に属する環境情報の数が、所定の判定基準値数未満のとき、スケジュール運転の設定情報に基づく制御を停止する。このため、ユーザーによる操作を行うことなく、スケジュール運転を行うのが適切でないとき、スケジュール運転の設定情報に基づく制御を停止することができる。
【図面の簡単な説明】
【００１７】
【図１】実施の形態１に係る空気調和機の制御装置の構成を示す図である。
【図２】実施の形態１に係る空気調和機の制御装置の基準値の設定動作を示すフローチャートである。
【図３】実施の形態１に係る空気調和機の制御装置のスケジュール運転の停止・再開動作を示すフローチャートである。
【図４】図３のＳ１１の動作を示すフローチャートである。
【図５】図３のＳ１２の動作を示すフローチャートである。
【図６】実施の形態２に係る空気調和機の制御装置の基準値の予測動作を示すフローチャートである。
【発明を実施するための形態】
【００１８】
実施の形態１．
＜構成＞
図１は実施の形態１に係る空気調和機の制御装置の構成を示す図である。
図１（ａ）は、空気調和機の制御装置７及びこれに接続される機器の配置を示す図である。
図１（ｂ）は、空気調和機の制御装置７及びこれに接続される機器のブロック構成図である。
図１（ａ）及び（ｂ）に示すように、空気調和機の制御装置７は、入出力インターフェース１４を介して、人感センサー１、マイク２、照度センサー３、照明制御装置４、電力計５、及び空気調和機６と接続される。なお、空気調和機の制御装置７と各機器との接続の方法は有線接続でも無線接続でも良い。
この空気調和機の制御装置７は、空気調和機６の運転を制御するものである。
【００１９】
人感センサー１、マイク２、照度センサー３、空気調和機６、及び照明器具８は、空気調和制御が可能な空間１３内に配置される。
なお、空気調和制御が可能な空間１３に配置されたこれらの機器は、本発明における「被空調空間内の電気機器」に相当する。
【００２０】
また、人感センサー１、マイク２、及び照度センサー３は、例えば、空気調和機６に設置される。
なお、人感センサー１、マイク２、照度センサー３の配置はこれに限らず、空気調和制御が可能な空間１３の中であればどこに取り付けられていても良い。例えば、空気調和機の制御装置７に取り付けても良い。
【００２１】
空気調和機６は、冷媒配管により接続された室外機と室内機を備えている。空気調和機６は、空気調和機の制御装置７からの制御により、冷媒配管中を流れる冷媒の圧力を変化させて冷媒の吸熱、放熱により空気調和を行うものである。
【００２２】
人感センサー１は、空気調和制御が可能な空間１３内に存在する人の数（以下「利用者数９」という。）を測定するものである。
人感センサー１は、例えば、温度変化に応じて出力が変化する焦電センサーや、絶対温度を検知できるサーモパイルセンサーやＣＭＯＳカメラ、ＣＣＤカメラなどで構成される。
一般的に、動体である人を検知する素子としては焦電センサーを使用することが多いが、サーモパイルセンサーやカメラを使用することもでき、この場合は、連続で入力した情報の変化を監視しておき、変化が発生すれば動きがあったと判断できる。また、カメラは複数の撮影素子が集積しているため素子ごとに変化情報を検出すれば、どの素子、つまりどの場所に動体が存在するか判断できる。
これに対して、焦電センサーやサーモパイルセンサーは一般的に１素子で検出エリア全体の動きや温度を検出するものであるが、複数素子で使用することでセンサーの検出エリアを特定でき、設置空間のどの場所に動体が存在しているか推測することができる。
このように、人感センサー１は、複数のセンサー素子を使用したり、単数のセンサー素子を走査して複数素子相当として使用することで空気調和制御が可能な空間１３の動体の位置を特定することで利用者数９を検出するものである。
そして、人感センサー１で得られた利用者数９の情報は、空気調和機の制御装置７に入力される。
【００２３】
マイク２は、空気調和制御が可能な空間１３内の音量（以下「音量１０」という。）を測定する。
そして、マイク２で得られた音量１０の情報は、空気調和機の制御装置７に入力される。
【００２４】
照度センサー３は、空気調和制御が可能な空間１３内の照度を測定する。
そして、照度センサー３で得られた照度の計測値は、照明の点灯状態１１として、空気調和機の制御装置７に入力される。
【００２５】
照明制御装置４、及び電力計５は、空気調和制御が可能な空間１３内または外のどちらに設置されていても良い。
【００２６】
照明制御装置４は、空気調和制御が可能な空間１３内の照明器具８の点灯状態を測定する。この照明器具８の点灯状態としては、例えば照明器具８の点灯・消灯状態、又は照明器具８が複数の場合は、各照明器具８の点灯・消灯状態の情報を、照明の点灯状態１１とする。
そして、照明制御装置４で得られた照明の点灯状態１１の情報は、空気調和機の制御装置７に入力される。
【００２７】
なお、ここでは照度センサー３及び照明制御装置４を設ける場合を示すが、照度センサー３又は照明制御装置４の何れか一方のみを設け、空気調和制御が可能な空間１３の照明の点灯状態１１を検知しても良い。
【００２８】
電力計５は、空気調和制御が可能な空間１３内の電気機器に供給される電力の消費電力量（以下「消費電力量１２」という。）を測定する。
【００２９】
なお、人感センサー１、マイク２、照度センサー３、照明制御装置４、電力計５は、全てが備わっている必要はなく、一つ以上が備わっていれば良い。また、各機器で測定する、利用者数９、音量１０、照明の点灯状態１１、消費電力量１２について、全ての値を測定する必要はなく、一つ以上が測定しても良い。
【００３０】
入出力インターフェース１４は、空気調和制御が可能な空間１３の環境情報を取得する。
なお、「環境情報」としては、利用者数９、音量１０、照明の点灯状態１１、消費電力量１２がこれに相当する。
また、入出力インターフェース１４は、空気調和機６からの運転状態の情報が入力される。また、空気調和機６に対する運転制御情報を出力する。
【００３１】
空気調和機の制御装置７は、ＣＰＵ１５、メモリー１６、入力キー１７、及び表示部１８を備えている。
【００３２】
メモリー１６は、スケジュール運転の設定情報と、環境情報の基準値又は基準範囲の情報が記憶される。
スケジュール運転の設定情報としては、例えば、時刻、日付及び曜日の少なくとも１つに応じた空気調和機６の運転状態の情報が記憶される。
基準値又は基準範囲の情報としては、空気調和制御が可能な空間１３内における、人の数、音量、照度、照明器具８の点灯状態、及び消費電力量のうち、少なくとも１つの値又は範囲の情報が記憶される。
また、環境情報の基準値又は基準範囲の情報は、例えば、時刻、日付及び曜日の少なくとも１つに応じて設定された空気調和機６の運転状態ごとに記憶される。詳細は後述する。
【００３３】
ＣＰＵ１５は、メモリー１６に記憶されたスケジュール運転の設定情報に基づいて、空気調和機６の運転を制御する。
また、ＣＰＵ１５は、入出力インターフェース１４を介して取得された空気調和制御が可能な空間１３の環境情報が、記憶された環境情報の基準値と一致しないとき又は基準範囲に属さないとき、スケジュール運転の設定情報に基づく制御を停止する。動作の詳細は後述する。
【００３４】
入力キー１７は、環境情報の基準値又は基準範囲の情報を入力させる。
【００３５】
表示部１８は、例えばＬＣＤ（Ｌｉｑｕｉｄ  Ｃｒｙｓｔａｌ  Ｄｉｓｐｌａｙ）などで構成される。
この表示部１８は、空気調和機６の運転状態の情報や、スケジュール運転に関する設定情報などを表示する。
【００３６】
なお、「照明器具８」は、本発明における「照明機器」に相当する。
また、「空気調和制御が可能な空間１３」は、本発明における「被空調空間」に相当する。
また、「入出力インターフェース１４」は、本発明における「環境情報取得手段」に相当する。
また、「ＣＰＵ１５」は、本発明における「制御手段」に相当する。
また、「メモリー１６」は、本発明における「スケジュール情報記憶手段」及び「基準値記憶手段」に相当する。
また、「入力キー１７」は、本発明における「入力手段」に相当する。
【００３７】
なお、本実施の形態１では、本発明の「制御手段」の機能を実現するソフトウェアをＣＰＵ１５により実行する場合を説明するが、これに限るものではない。例えば、「制御手段」の機能を実現する回路デバイスなどのハードウェアを用いることもできる。
【００３８】
＜動作＞
次に、本実施の形態における空気調和機の制御装置７の動作について、（１）基準値の設定動作、（２）スケジュール運転の停止・再開動作とに分けて説明する。
【００３９】
（１）基準値の設定動作
図２は実施の形態１に係る空気調和機の制御装置の基準値の設定動作を示すフローチャートである。
以下、図２の各ステップに基づき説明する。
【００４０】
（Ｓ０）
まず、ＣＰＵ１５は、表示部１８に各基準値の入力画面を表示させる。
【００４１】
（Ｓ１）
次に、ＣＰＵ１５は、環境情報である利用者数９の基準値又は基準範囲（以下「利用者数基準値９’」という。）の入力動作を開始する。
【００４２】
（Ｓ１−１）
ＣＰＵ１５は、入出力インターフェース１４に人感センサー１が接続されているか否かを判断する。
人感センサー１が接続されていない場合、利用者数基準値９’の入力動作を終了する。
【００４３】
（Ｓ１−２）
一方、人感センサー１が接続されている場合、ユーザーからの入力キー１７の操作により入力された利用者数基準値９’の情報を取得する。
例えば、環境情報である利用者数９の基準値が３人である場合には、利用者数基準値９’として「３」の情報が入力される。また、環境情報である利用者数９の基準範囲が３人〜５人である場合には、利用者数基準値９’として「３以上５以下」の情報が入力される。
【００４４】
（Ｓ１−３）
メモリー１６は、入力された利用者数基準値９’の情報を記憶する。
【００４５】
（Ｓ２）
次に、ＣＰＵ１５は、環境情報である音量１０の基準値又は基準範囲（以下「音量基準値１０’」という。）の入力動作を開始する。
【００４６】
（Ｓ２−１）
ＣＰＵ１５は、入出力インターフェース１４にマイク２が接続されているか否かを判断する。
マイク２が接続されていない場合、音量基準値１０’の入力動作を終了する。
【００４７】
（Ｓ２−２）
一方、マイク２が接続されている場合、ユーザーからの入力キー１７の操作により入力された音量基準値１０’の情報を取得する。
例えば、環境情報である音量１０の基準値が５０ｄＢである場合には、音量基準値１０’として「５０」の情報が入力される。また、環境情報である音量１０の基準範囲が３０〜５０ｄＢである場合には、音量基準値１０’として「３０以上５０以下」の情報が入力される。
【００４８】
（Ｓ２−３）
メモリー１６は、入力された音量基準値１０’の情報を記憶する。
【００４９】
（Ｓ３）
次に、ＣＰＵ１５は、環境情報である照明の点灯状態１１の基準値又は基準範囲（以下「点灯状態基準値１１’」という。）の入力動作を開始する。
【００５０】
（Ｓ３−１）
ＣＰＵ１５は、入出力インターフェース１４に照度センサー３又は照明制御装置４の何れか一方が接続されているか否かを判断する。
何れも接続されていない場合、点灯状態基準値１１’の入力動作を終了する。
【００５１】
（Ｓ３−２）
一方、照度センサー３又は照明制御装置４の何れか一方が接続されている場合、ユーザーからの入力キー１７の操作により入力された点灯状態基準値１１’の情報を取得する。
例えば、照度センサー３が接続されているとき、環境情報である照明の点灯状態１１の基準値が１００ｌｘである場合には、点灯状態基準値１１’として「１００」の情報が入力される。また、環境情報である照明の点灯状態１１の基準範囲が８０〜１２０ｌｘである場合には、点灯状態１１’として「８０以上１２０以下」の情報が入力される。
また、例えば照明制御装置４が接続されているとき、照明の点灯状態１１の基準値が、点灯状態であるとき、点灯状態基準値１１’として照明器具８の点灯を識別する情報（例えば「１」）が入力される。また、照明器具８が複数の場合、点灯状態１１の基準範囲が、３つ以上点灯状態であるとき、点灯状態基準値１１’として点灯数「３以上」の情報が入力される。
【００５２】
（Ｓ３−３）
メモリー１６は、入力された点灯状態基準値１１’の情報を記憶する。
【００５３】
（Ｓ４）
次に、ＣＰＵ１５は、環境情報である消費電力量１２の基準値又は基準範囲（以下「消費電力量基準値１２’」という。）の入力動作を開始する。
【００５４】
（Ｓ４−１）
ＣＰＵ１５は、入出力インターフェース１４に電力計５が接続されているか否かを判断する。
電力計５が接続されていない場合、消費電力量基準値１２’の入力動作を終了する。
【００５５】
（Ｓ４−２）
一方、電力計５が接続されている場合、ユーザーからの入力キー１７の操作により入力された消費電力量基準値１２’の情報を取得する。
例えば、環境情報である消費電力量１２の基準値が２０００Ｗである場合には、消費電力量基準値１２’として「２０００」の情報が入力される。また、環境情報である消費電力量１２の基準範囲が１０００〜３０００Ｗである場合には、消費電力量基準値１２’として「１０００以上３０００以下」の情報が入力される。
【００５６】
（Ｓ４−３）
メモリー１６は、入力された消費電力量基準値１２’の情報を記憶する。
【００５７】
このように、空気調和機の制御装置７は、入出力インターフェース１４を介して、複数種の環境情報を取得し、この環境情報の種類に応じた基準値又は基準範囲の情報がメモリー１６に記憶される。
【００５８】
（Ｓ５）
次に、ＣＰＵ１５は、ユーザーからの入力キー１７の操作により入力された判定基準値数βの情報を取得する。
【００５９】
（Ｓ６）
メモリー１６は、入力された判定基準値数βの情報を記憶する。
【００６０】
（Ｓ７）
次に、ＣＰＵ１５は、表示部１８に表示させた各基準値の入力画面を終了させ、基準値の設定動作を終了する。
【００６１】
ここで、判定基準値数βとは、利用者数９、音量１０、照明の点灯状態１１、消費電力量１２の測定値のうち、いくつ以上の比較結果が基準を満たしていればスケジュール運転が適切であるかを決めるパラメータである。
この判定基準値数βの数が多いほど、スケジュール運転が適切であると判断する条件が複雑になるため、この発明で実現する機能の信頼性が向上する。
判定基準値数βの最小値は「１」である。
また、判定基準値数βの最大値は、環境情報のうち測定可能な全項目数となる。ここでは、利用者数９、音量１０、照明の点灯状態１１、消費電力量１２のうち、測定可能な項目数（接続されている機器数）となる。
なお、判定基準値数βは、スケジュール運転の設定情報として設定された空気調和機６の運転状態ごとに記憶させるようにしても良い。
例えば、空気調和機６の運転を停止する夜間においては、判定基準値数βを「１」に設定し、例えば人の在室の検知のみで判定する。また、例えば空気調和機６の運転する昼間においては、判定基準値数βを「３」に設定し、例えば人、音、電力などの複数の条件で判定する。
これにより、スケジュール運転が適切であるか否かを適切に判断することが可能になる。
【００６２】
なお、本実施の形態１では、ユーザーの操作により判定基準値数βを入力する場合を説明したが、これに限らず、予め、判定基準値数βの情報をメモリー１６に記憶させても良い。
【００６３】
なお、図２のステップＳ１、Ｓ２、Ｓ３、Ｓ４は順番が入れ替わっても良いし、接続されていないセンサー又は測定器がある場合は処理自体を削除しても良い。
【００６４】
以上のような基準値又は基準範囲の情報は、空気調和機６のスケジュール運転の設定情報ごとに設定される。
例えば、スケジュール運転の設定情報として、８時〜１７時が運転、その他の時刻が停止状態に設定されている場合、８時〜１７時の運転状態に対する基準値又は基準範囲と、その他の時刻の停止状態に対する基準値又は基準範囲とをそれぞれ設定する。
【００６５】
例えば運転状態の環境情報の基準値及び基準範囲として、利用者数基準値９’を０人、音量基準値１０’を３０ｄＢ以下、点灯状態基準値１１’を８０ｌｘ以下、消費電力量基準値１２’を１０００Ｗ以下に設定する。
このような基準値及び基準範囲の設定により、環境情報が基準を満たしている場合には、空気調和制御が可能な空間１３内に人が存在せず、照明器具８やその他の電気機器が利用されておらず、空気調和機６を運転する必要がなく、スケジュール設定による運転状態が適切でないと推定できる。
【００６６】
また、例えば１７時以降の停止状態の環境状態の基準値及び基準範囲として、利用者数基準値９’を１人以上、音量基準値１０’を５０ｄＢ以上、点灯状態基準値１１’を１００ｌｘ以上、消費電力量基準値１２’を２０００Ｗ以上に設定する。
このような基準値及び基準範囲の設定により、環境情報が基準を満たしている場合には、空気調和制御が可能な空間１３内に人が存在し、照明器具８やその他の電気機器が利用されており、空気調和機６を運転する必要があり、スケジュール設定による停止状態が適切でないと推定できる。
【００６７】
このような環境情報の基準値を用いて、スケジュール運転が適切であるか否かを推定して、スケジュール運転の停止・再開を行う動作について次に説明する。
【００６８】
（２）スケジュール運転の停止・再開動作
図３は実施の形態１に係る空気調和機の制御装置のスケジュール運転の停止・再開動作を示すフローチャートである。
以下、図３の各ステップに基づき説明する。
【００６９】
（Ｓ１０）
まず、ＣＰＵ１５は、現在の制御がスケジュール運転であるか否かを判断する。
現在の制御がスケジュール運転でない場合、スケジュール運転の停止・再開動作を終了し、現在設定されている運転を継続する。
【００７０】
（Ｓ１１）
一方、現在の制御がスケジュール運転である場合、人感センサー１、マイク２、照度センサー３、照明制御装置４、電力計５の一つ以上を使用して、利用者数９、音量１０、照明の点灯状態１１、消費電力量１２の一つ以上の環境情報について測定を行う。
詳細を図４を用いて説明する。
【００７１】
図４は図３のＳ１１の動作を示すフローチャートである。
（Ｓ２０）
ＣＰＵ１５は、環境情報である利用者数９の測定を開始する。
（Ｓ２０−１）
ＣＰＵ１５は、入出力インターフェース１４に人感センサー１が接続されているか否かを判断する。
人感センサー１が接続されていない場合、利用者数９の測定を終了する。
（Ｓ２０−２）
人感センサー１は、空気調和制御が可能な空間１３内に存在する人の数（利用者数９）を測定する。
ＣＰＵ１５は、入出力インターフェース１４を介して、人感センサー１の測定結果である利用者数９の情報を取得する。
（Ｓ２０−３）
メモリー１６は、取得された利用者数９の情報を記憶する。
【００７２】
（Ｓ２１）
ＣＰＵ１５は、環境情報である音量１０の測定を開始する。
（Ｓ２１−１）
ＣＰＵ１５は、入出力インターフェース１４にマイク２が接続されているか否かを判断する。
マイク２が接続されていない場合、音量１０の測定を終了する。
（Ｓ２１−２）
マイク２は、空気調和制御が可能な空間１３内の音量１０を測定する。
ＣＰＵ１５は、入出力インターフェース１４を介して、マイク２の測定結果である音量１０の情報を取得する。
（Ｓ２０−３）
メモリー１６は、取得された音量１０の情報を記憶する。
【００７３】
（Ｓ２２）
ＣＰＵ１５は、環境情報である照明の点灯状態１１の測定を開始する。
（Ｓ２２−１）
ＣＰＵ１５は、入出力インターフェース１４に照度センサー３又は照明制御装置４の何れか一方が接続されているか否かを判断する。
何れも接続されていない場合、照明の点灯状態１１の測定を終了する。
（Ｓ２２−２）
照度センサー３は、空気調和制御が可能な空間１３内の照度を測定する。
照明制御装置４は、空気調和制御が可能な空間１３内の照明器具８の点灯状態を測定する。
ＣＰＵ１５は、入出力インターフェース１４を介して、照度センサー３及び照明制御装置４の少なくとも一方の測定結果である照明の点灯状態１１の情報を取得する。
（Ｓ２２−３）
メモリー１６は、取得された照明の点灯状態１１の情報を記憶する。
【００７４】
（Ｓ２３）
ＣＰＵ１５は、環境情報である消費電力量１２の測定を開始する。
（Ｓ２３−１）
ＣＰＵ１５は、入出力インターフェース１４に電力計５が接続されているか否かを判断する。
電力計５が接続されていない場合、消費電力量１２の測定を終了する。
（Ｓ２３−２）
電力計５は、空気調和制御が可能な空間１３内の電気機器に供給される電力の消費電力量１２を測定する。
ＣＰＵ１５は、入出力インターフェース１４を介して、電力計５の測定結果である消費電力量１２の情報を取得する。
（Ｓ２３−３）
メモリー１６は、取得された消費電力量１２の情報を記憶する。
【００７５】
なお、図４のステップＳ２０、Ｓ２１、Ｓ２２、Ｓ２３は順番が入れ替わっても良いし、接続されていないセンサー又は測定器がある場合は処理自体を削除しても良い。
【００７６】
（Ｓ１２）
再び図３において、ＣＰＵ１５は、ステップＳ１１により取得された環境情報と、メモリー１６に記憶された環境情報の基準値又は基準範囲とを比較する。
詳細を図５を用いて説明する。
【００７７】
図５は図３のＳ１２の動作を示すフローチャートである。
（Ｓ３０）
まず、ＣＰＵ１５は、条件合致の数αの初期値を「０」に設定する。
【００７８】
（Ｓ３１）
次に、ＣＰＵ１５は、利用者数９の比較を開始する。
【００７９】
（Ｓ３１−１）
ＣＰＵ１５は、入出力インターフェース１４に人感センサー１が接続されているか否かを判断する。
人感センサー１が接続されていない場合、利用者数９の比較動作を終了する。
【００８０】
（Ｓ３１−２）
ＣＰＵ１５は、メモリー１６に記憶された利用者数９の測定結果の情報を読み込む。
【００８１】
（Ｓ３１−３）
ＣＰＵ１５は、メモリー１６に記憶された利用者数基準値９’の情報のうち、現在のスケジュール運転の運転状態に応じた利用者数基準値９’の情報を読み込む。
【００８２】
（Ｓ３１−４）
次に、利用者数９の測定結果が、利用者数基準値９’の範囲内であるか否かを判断する。
なお、利用者数基準値９’が特定の値の場合には、利用者数９が利用者数基準値９’と一致するか否かを判断する。
すなわち、利用者数９の測定結果が利用者数基準値９’と一致するか又は属するか否かを判断する。
利用者数９の測定結果が利用者数基準値９’に一致又は属さない場合、利用者数９の比較動作を終了する。
【００８３】
（Ｓ３１−５）
一方、利用者数９の測定結果が、利用者数基準値９’の範囲内である場合、ＣＰＵ１５は、条件合致の数αに「１」を加算する。
【００８４】
（Ｓ３２）
次に、ＣＰＵ１５は、音量１０の比較を開始する。
【００８５】
（Ｓ３２−１）
ＣＰＵ１５は、入出力インターフェース１４にマイク２が接続されているか否かを判断する。
マイク２が接続されていない場合、音量１０の比較動作を終了する。
【００８６】
（Ｓ３２−２）
ＣＰＵ１５は、メモリー１６に記憶された音量１０の測定結果の情報を読み込む。
【００８７】
（Ｓ３２−３）
ＣＰＵ１５は、メモリー１６に記憶された音量基準値１０’の情報のうち、現在のスケジュール運転の運転状態に応じた音量基準値１０’の情報を読み込む。
【００８８】
（Ｓ３２−４）
次に、音量１０の測定結果が、音量基準値１０’の範囲内であるか否かを判断する。
なお、音量基準値１０’が特定の値の場合には、音量１０が音量基準値１０’と一致するか否かを判断する。
すなわち、音量１０の測定結果が音量基準値１０’と一致するか又は属するか否かを判断する。
音量１０の測定結果が音量基準値１０’に一致又は属さない場合、音量１０の比較動作を終了する。
【００８９】
（Ｓ３２−５）
一方、音量１０の測定結果が、音量基準値１０’の範囲内である場合、ＣＰＵ１５は、条件合致の数αに「１」を加算する。
【００９０】
（Ｓ３３）
次に、ＣＰＵ１５は、照明の点灯状態１１の比較を開始する。
【００９１】
（Ｓ３３−１）
ＣＰＵ１５は、入出力インターフェース１４に照度センサー３又は照明制御装置４の何れか一方が接続されているか否かを判断する。
何れも接続されていない場合、照明の点灯状態１１の比較動作を終了する。
【００９２】
（Ｓ３３−２）
ＣＰＵ１５は、メモリー１６に記憶された照明の点灯状態１１の測定結果の情報を読み込む。
【００９３】
（Ｓ３３−３）
ＣＰＵ１５は、メモリー１６に記憶された点灯状態基準値１１’の情報のうち、現在のスケジュール運転の運転状態に応じた点灯状態基準値１１’の情報を読み込む。
【００９４】
（Ｓ３３−４）
次に、照明の点灯状態１１の測定結果が、点灯状態基準値１１’の範囲内であるか否かを判断する。
なお、点灯状態基準値１１’が特定の値の場合には、照明の点灯状態１１が点灯状態基準値１１’と一致するか否かを判断する。
すなわち、照明の点灯状態１１の測定結果が点灯状態基準値１１’と一致するか又は属するか否かを判断する。
照明の点灯状態１１の測定結果が点灯状態基準値１１’に一致又は属さない場合、照明の点灯状態１１の比較動作を終了する。
【００９５】
（Ｓ３３−５）
一方、照明の点灯状態１１の測定結果が、点灯状態基準値１１’の範囲内である場合、ＣＰＵ１５は、条件合致の数αに「１」を加算する。
【００９６】
（Ｓ３４）
次に、ＣＰＵ１５は、消費電力量１２の比較を開始する。
【００９７】
（Ｓ３４−１）
ＣＰＵ１５は、入出力インターフェース１４に電力計５が接続されているか否かを判断する。
電力計５が接続されていない場合、消費電力量１２の比較動作を終了する。
【００９８】
（Ｓ３４−２）
ＣＰＵ１５は、メモリー１６に記憶された消費電力量１２の測定結果の情報を読み込む。
【００９９】
（Ｓ３４−３）
ＣＰＵ１５は、メモリー１６に記憶された消費電力量基準値１２’の情報のうち、現在のスケジュール運転の運転状態に応じた消費電力量基準値１２’の情報を読み込む。
【０１００】
（Ｓ３４−４）
次に、消費電力量１２の測定結果が、消費電力量基準値１２’の範囲内であるか否かを判断する。
なお、消費電力量基準値１２’が特定の値の場合には、消費電力量１２が消費電力量基準値１２’と一致するか否かを判断する。
すなわち、消費電力量１２の測定結果が消費電力量基準値１２’と一致するか又は属するか否かを判断する。
消費電力量１２の測定結果が消費電力量基準値１２’に一致又は属さない場合、消費電力量１２の比較動作を終了する。
【０１０１】
（Ｓ３４−５）
一方、消費電力量１２の測定結果が、消費電力量基準値１２’の範囲内である場合、ＣＰＵ１５は、条件合致の数αに「１」を加算する。
【０１０２】
なお、図５のステップＳ３１、Ｓ３２、Ｓ３３、Ｓ３４は順番が入れ替わっても良いし、接続されていないセンサー又は測定器がある場合は処理自体を削除しても良い。
【０１０３】
このような動作により、条件合致の数αは、ステップＳ３１、Ｓ３２、Ｓ３３、Ｓ３４の各比較処理で条件が合致する結果となった数の合計を示す値となる。
一般的にαが大きいほどスケジュール運転を実行するのに適切な状態であることを示す。
【０１０４】
（Ｓ１３）
再び図３において、ＣＰＵ１５は、上記ステップＳ１２で得た条件合致の数αが、判定基準値数β以上であるか否かを判断する。
【０１０５】
（Ｓ１４）
条件合致の数αが判定基準値数β以上である場合、ＣＰＵ１５はスケジュール運転の設定情報に基づいて空気調和機６の運転を制御して、スケジュール運転を開始（または継続）し、フローを終了する。
すなわち、複数種の環境情報のうち基準値又は基準範囲を満たす環境情報の数が、所定の判定基準値数β以上である場合、スケジュール運転を行うのが適切であると推定して、スケジュール運転を開始する。
【０１０６】
（Ｓ１５）
一方、条件合致の数αが判定基準値数β以上でない場合、ＣＰＵ１５はスケジュール運転の設定情報に基づく制御を停止する。
すなわち、複数種の環境情報のうち環境情報の基準値と一致するか又は基準範囲に属する環境情報の数が、所定の判定基準値数β未満のとき、スケジュール運転を行うのが適切でないと推定して、スケジュール運転の設定情報に基づく制御を停止する。
以降、ステップＳ１１に戻り、上記ステップＳ１１〜Ｓ１５を繰り返す。
【０１０７】
なお、ステップＳ１５の際に、スケジュール運転停止時における空気調和機６の制御を予め決めておき、これを実行しても良い。
例えば、スケジュール運転による設定が運転状態の場合、空気調和機６の運転を停止させる制御を行う。また、スケジュール運転による設定が停止状態の場合、空気調和機６の運転を開始させる制御を行う。
なお、空気調和機６の制御はこれに限らず、運転モード、設定温度・湿度など、任意に設定することができる。
【０１０８】
＜効果＞
以上のように本実施の形態においては、入出力インターフェース１４は、複数種の環境情報を取得し、メモリー１６には、環境情報の種類に応じて、基準値又は基準範囲の情報が記憶される。そして、ＣＰＵ１５は、取得された複数種の環境情報のうち、環境情報の基準値と一致する環境情報又は基準範囲に属する環境情報の条件合致の数αが、所定の判定基準値数β未満のとき、スケジュール運転の設定情報に基づく制御を停止する。
このため、スケジュール運転を行うのが適切でないとき、ユーザーによる操作を行うことなく、スケジュール運転の設定情報に基づく制御を停止することができる。
また、スケジュール運転を行うのが適切でないとき、スケジュール運転による空調制御によって快適性を損なわれることがなくなり、意図しない空調制御によるエネルギーの消費を抑制することができる。
また、複数種の環境情報を取得する場合、スケジュール運転を行うのが適切であるか否かを判定する環境情報の数を任意に設定することが可能となる。
【０１０９】
また、取得された空気調和制御が可能な空間１３の環境情報が、記憶された環境情報の基準値と一致するとき又は基準範囲に属するとき、スケジュール運転の設定情報に基づいて、空気調和機６の運転を制御する。
このため、スケジュール運転を行うのが適切であるとき、ユーザーによる操作を行うことなく、スケジュール運転の設定情報に基づく制御を行うことができる。
また、ユーザーによる操作を行う必要がないため、スケジュール運転の設定し忘れや再開し忘れを容易に防ぐことができる。
【０１１０】
また、メモリー１６には、スケジュール運転の設定情報として、時刻、日付及び曜日の少なくとも１つに応じた空気調和機６の運転状態の情報が記憶される。そして、時刻、日付及び曜日の少なくとも１つに応じて設定された空気調和機６の運転状態ごとに、環境情報の基準値又は基準範囲の情報が記憶される。
このため、空気調和機６の運転状態に応じて、スケジュール運転を行うのが適切であるかを判断する環境情報の基準値又は基準範囲を設定することができる。
【０１１１】
実施の形態２．
上記実施の形態１では、ユーザーからの操作により環境情報の基準値を入力する形態について説明した。
しかし、ユーザーが入力に必要な基準値（利用者数基準値９’、音量基準値１０’、点灯状態基準値１１’、消費電力量基準値１２’）について既知ではない場合が考えられる。
本実施の形態２では、これら環境情報の基準値を予測し、ユーザーからの入力操作を不要とする形態について説明する。
【０１１２】
以下、本実施の形態２における基準値の予測動作を説明する。
なお、本実施の形態２における空気調和機の制御装置７及びこれに接続される機器の構成は、上記実施の形態１と同様であり、同一部分には同一の符号を付する。
また、本実施の形態２におけるスケジュール運転の停止・再開動作は、上記実施の形態１（図３〜図５）と同様である。
【０１１３】
図６は実施の形態２に係る空気調和機の制御装置の基準値の予測動作を示すフローチャートである。
以下、図６の各ステップに基づき説明する。
なお、図６では代表で利用者数基準値９’の基準値を得るためのフローを示すが、音量基準値１０’、照明の点灯状態基準値１１’、消費電力量基準値１２’についても同様の処理で基準値の予測が可能である。
【０１１４】
（Ｓ４０）
まず、ＣＰＵ１５は、所定の一致回数Ｎを取得する。
この一致回数Ｎは、基準値を予測するための測定において、測定結果が一致する回数の条件を決定する数値である。一致回数Ｎは、大きな値を設定した方が予測値の信頼性が上がる。
この一致回数Ｎは、ユーザーからの操作により入力キー１７で入力しても良いし、予めメモリー１６に記憶させても良い。
【０１１５】
（Ｓ４１）
次に、ＣＰＵ１５は、測定値の一致回数をカウントするカウントｎの初期値を「０」に設定する。
また、ｎ回目の利用者数９の測定結果を格納する測定値Ａｎ（ｎ＝１，２，…）の初期値を「０」に設定する。
【０１１６】
（Ｓ４２）
次に、ＣＰＵ１５は、利用者数９の測定のタイミングであるか否かを判断する。
この測定のタイミングは、例えば入出力インターフェース１４が環境情報を取得する所定周期に設定する。
【０１１７】
（Ｓ４３）
利用者数９の測定のタイミングであると判断した場合、ＣＰＵ１５は、入出力インターフェース１４を介して、人感センサー１の測定結果である利用者数９の情報を取得する。
【０１１８】
（Ｓ４４）
ＣＰＵ１５は、取得した利用者数９の情報を、測定値Ａｎに格納する。
【０１１９】
（Ｓ４５）
次に、ＣＰＵ１５は、カウントｎが１以上であるか否かを判断する。
【０１２０】
（Ｓ４６）
カウントｎが１以上でない場合、すなわち初回測定時の場合、ＣＰＵ１５は、ステップＳ４４で取得した測定値Ａｎを測定値Ａ０に格納する。
【０１２１】
（Ｓ４７）
メモリー１６は、測定値Ａ０の値を記憶する。
【０１２２】
（Ｓ４８）
ＣＰＵ１５は、カウントｎ＝１に設定し、ステップＳ４２に戻る。
ＣＰＵ１５は、測定のタイミングにおいて、利用者数９を取得して、ｎ回目の利用者数９の測定結果を測定値Ａｎに格納する。
【０１２３】
（Ｓ４９）
ステップＳ４５において、カウントｎが１以上であると判断した場合、ＣＰＵ１５は、メモリー１６に記憶された測定値Ａ０を読み出す。
【０１２４】
（Ｓ５０）
次に、ＣＰＵ１５は、ｎ回目の測定値Ａｎが測定値Ａ０とほぼ等しいか否かを判断する。
これにより、所定周期ごとに取得された環境情報が、ほぼ変化しないか否かを判断する。
なお、この測定値ＡｎとＡ０との比較は、Ａ０を基準として例えば上限値と下限値などの範囲を持たせ、Ａｎがこの範囲に含まれる場合は、ほぼ等しいと判断するようにしても良い。この範囲は、予めメモリー１６に記憶させるようにしても良い。
【０１２５】
ｎ回目の測定値Ａｎが測定値Ａ０とほぼ等しくない場合、すなわち、所定周期ごとに取得された環境情報が変化した場合、ステップＳ４６に進み、当該カウントｎでの測定値Ａｎの値を、測定値Ａ０に格納する。
そして、メモリー１６に記憶した測定値Ａ０を更新し、カウントｎ＝１に設定して、ステップＳ４２に戻る。
【０１２６】
（Ｓ５１）
一方、ステップＳ５０において、ｎ回目の測定値Ａｎが測定値Ａ０とほぼ等しい場合、ＣＰＵ１５は、カウントｎをインクリメントする。
【０１２７】
（Ｓ５２）
次に、ＣＰＵ１５は、カウントｎが所定の一致回数Ｎと等しいか否かを判断する。
カウントｎが所定の一致回数Ｎと等しくないと判断した場合、ステップＳ４２に戻る。
【０１２８】
（Ｓ５３）
一方、カウントｎが所定の一致回数Ｎと等しいと判断した場合、すなわち、所定周期ごとに取得された環境情報が所定の一致回数Ｎ以上ほぼ変化しないとき、ＣＰＵ１５は、測定値Ａ０の値を、利用者数９の基準値である利用者数基準値９’として求める。
【０１２９】
（Ｓ５４）
メモリー１６は、ＣＰＵ１５が求めた利用者数基準値９’の情報を記憶する。
【０１３０】
以上のように本実施の形態においては、所定周期ごとに取得された環境情報が、所定の一致回数Ｎ以上、ほぼ変化しないとき、当該環境情報の値を基準値として求める。
これにより、ユーザーによる基準値の入力操作を行わなくても、基準値を予測することが可能となる。
【符号の説明】
【０１３１】
１  人感センサー、２  マイク、３  照度センサー、４  照明制御装置、５  電力計、６  空気調和機、７  空気調和機の制御装置、８  照明器具、９  利用者数、９’  利用者数基準値、１０  音量、１０’  音量基準値、１１  照明の点灯状態、１１’  点灯状態基準値、１２  消費電力量、１２’  消費電力量基準値、１３  空気調和制御が可能な空間、１４  入出力インターフェース、１５  ＣＰＵ、１６  メモリー、１７  入力キー、１８  表示部。
【図１】
0005452160.tif 000002
【図２】
0005452160.tif 000003
【図３】
0005452160.tif 000004
【図４】
0005452160.tif 000005
【図５】
0005452160.tif 000006
【図６】
0005452160.tif 000007